【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
原子炉建屋の各フロア側から生体遮蔽壁を解体するＢＳＷ解体工程と、
前記生体遮蔽壁を解体したフロア側から原子炉格納容器を解体するＰＣＶ解体工程と、
を有することを特徴とする原子炉格納容器及び生体遮蔽壁の解体工法。
【請求項２】
炉内構造物と原子炉圧力容器と熱遮蔽壁を解体した原子炉建屋の各フロア側から生体遮蔽壁を解体するＢＳＷ解体工程と、
前記生体遮蔽壁を解体したフロア側から原子炉格納容器を解体するＰＣＶ解体工程と、
を有することを特徴とする原子炉格納容器及び生体遮蔽壁の解体工法。
【請求項３】
前記生体遮蔽壁を解体する前に各フロアを仮設補強部材で補強することを特徴とする請求項１又は２に記載の原子炉格納容器及び生体遮蔽壁の解体工法。
【請求項４】
前記ＢＳＷ解体工程の前に前記原子炉格納容器の上面開口を蓋で塞ぐことを特徴とする請求項１ないし３のいずれか１に記載の原子炉格納容器及び生体遮蔽壁の解体工法。
【請求項５】
前記ＢＳＷ解体工程は、ＢＳＷ非放射化部を解体した後にＢＳＷ放射化部を解体し、前記ＢＳＷ放射化部の解体作業前に解体装置を換えることを特徴とする請求項１ないし４のいずれか１に記載の原子炉格納容器及び生体遮蔽壁の解体工法。
【請求項６】
前記ＰＣＶ解体工程は、ＰＣＶ円筒部を上階のフロアから順番に各フロアでリング状に切断した後、オペレイティングフロアへ搬出して細分化することを特徴とする請求項１ないし５のいずれか１に記載の原子炉格納容器及び生体遮蔽壁の解体工法。
【請求項７】
前記ＰＣＶ円筒部は、切断作業前に天井クレーンで玉掛けすることを特徴とする請求項６に記載の原子炉格納容器及び生体遮蔽壁の解体工法。
【請求項８】
前記ＰＣＶ解体工程は、ＰＣＶ球形部を各フロアで小片化した後、オペレイティングフロアへ搬出して細分化することを特徴とする請求項１ないし７のいずれか１に記載の原子炉格納容器及び生体遮蔽壁の解体工法。
【請求項９】
前記ＰＣＶ球形部は、切断作業前に小型クレーンで玉掛けすることを特徴とする請求項８に記載の原子炉格納容器及び生体遮蔽壁の解体工法。
【請求項１０】
前記ＢＳＷ解体工程は、解体前にフロアに仮設補強部材を設定する工程と、
ＰＣＶ上部開口にガラ落下防止蓋を設置する工程と、
前記フロアに切断装置を搬入する際に干渉する壁を撤去する工程と、
ＢＳＷ非放射化部解体用切断装置を搬入する工程と、
解体場所を養生する工程と、
ＢＳＷ非放射化部を解体する工程と、
前記ＢＳＷ非放射化部の解体ガラを回収し、放射能確認測定を行い、保管場所へ搬出する工程と、
ＢＳＷ放射化部解体用切断装置を入れ替える工程と、
ＢＳＷ放射化部を解体する工程と、
前記ＢＳＷ放射化部の解体ガラを回収し、放射能確認測定を行い、保管場所へ搬出する工程と、
前記フロアを片付け清掃した後に、階下フロアへ解体装置を移動する工程と、
を有することを特徴とする請求項１又は２に記載の原子炉格納容器及び生体遮蔽壁の解体工法。
【請求項１１】
前記ＰＣＶ解体工程は、切断作業を行うフロア及びそれより上方を汚染拡散防止兼火気養生する工程と、
前記フロアに作業足場を設置する工程と、
前記フロアに切断装置を搬入する工程と、
ＰＣＶ球形部を天井クレーンに玉掛けする工程と、
前記ＰＣＶ球形部をリング状に切断する工程と、
切断片をオペレーションフロアに移動する工程と、
前記フロアの片付け及び清掃した後、階下へ切断装置を移動する工程と、
球形部解体用の高所作業台車と小型クレーンと切断装置を搬入する工程と、
解体部位を前記小型クレーンで玉掛けする工程と、
前記高所作業台車上からＰＣＶをパネル状に切断する工程と、
切断片をＰＣＶ底部に吊り下す工程と、
切断片を天井クレーンに玉掛けしてオペレーションフロアへ移動する工程と、
切断片を裁断して容器へ収納後、保管場所へ移動する工程と、
フロアの片づけ、清掃、階下へ切断装置を移動する工程と、
を有することを特徴とする請求項１又は２に記載の原子炉格納容器及び生態遮蔽壁の解体工法。
【請求項１２】
前記ＢＳＷ解体工程は、上階フロアから最下階フロアのＢＳＷ非放射化部の撤去を行い、その後、前記上階フロアから最下階フロアのＢＳＷ放射化部の撤去を行うことを特徴とする請求項５に記載の原子炉格納容器及び生体遮蔽壁の解体工法。
【請求項１３】
前記ＢＳＷ解体工程は、上階フロアのＢＳＷ非放射化部の撤去を行い下階に移行するときに、前記上階フロアのＢＳＷ放射化部の撤去を後追いで行うことを特徴とする請求項５に記載の原子炉格納容器及び生体遮蔽壁の解体工法。
【請求項１４】
前記ＢＳＷ解体工程は、上階フロアからＢＳＷ非放射化部の撤去を行い、ついで同フロアのＢＳＷ放射化部の撤去を行うことを特徴とする請求項５に記載原子炉格納容器及び生体遮蔽壁の解体工法。
【請求項１５】
前記ＰＣＶ解体工程は、切断作業前にＰＣＶ球形部を小型クレーンで玉掛けし、切断後、底面に降ろし、天井クレーンに玉掛けし直してオペレイティングフロアに移動して細分化することを特徴とする請求項１又は２に記載の原子炉格納容器及び生体遮蔽壁の解体工法。
【請求項１６】
前記ＰＣＶ解体工程は、ＰＣＶ円筒部の切断作業を行うフロア及びそれより上階の汚染拡散防止兼火気養生を施し、前記フロアに作業用足場を設置し、前記作業用足場上を作業者がＰＣＶ周方向に移動しながら切断し、切断作業終了後、下階フロアに移動して解体作業を繰り返すことを特徴とする請求項１又は２に記載の原子炉格納容器及び生体遮蔽壁の解体工法。
【請求項１７】
前記仮設補強部材は、壁を撤去する天井及び床の間に取り付ける支柱を用いることを特徴とする請求項３に記載の原子炉格納容器及び生体遮蔽壁の解体工法。
【請求項１８】
前記仮設補強部材は、撤去する壁に合わせた矩形状に連結、又は立方体の枠体の構成であることを特徴とする請求項３に記載の原子炉格納容器及び生体遮蔽壁の解体工法。
【請求項１９】
前記仮設補強部材は、天井を有する立方体の枠体の構成であることを特徴とする請求項３に記載の原子炉格納容器及び生体遮蔽壁の解体工法。
【請求項２０】
前記ＢＳＷ解体工程は、解体場所への切断装置搬入に干渉する壁を撤去することを特徴とする請求項１又は２に記載の原子炉格納容器及び生体遮蔽壁の解体工法。
【手続補正２】
【補正対象書類名】明細書
【補正対象項目名】００１６
【補正方法】変更
【補正の内容】
【００１６】
上記課題を解決するための第８の手段として、本発明は、第１ないし第７のいずれか１の手段において、前記ＰＣＶ解体工程は、ＰＣＶ球形部を各フロアで小片化した後、オペレイティングフロアへ搬出して細分化することを特徴とする原子炉格納容器及び生体遮蔽壁の解体工法を提供することにある。
上記第８の手段によれば、作業スペースのあるオペレイティングフロアで効率良くＰＣＶ球形部を細分化処理することができる。
上記課題を解決するための第９の手段として、本発明は、第８の手段において、前記ＰＣＶ球形部は、切断作業前に小型クレーンで玉掛けすることを特徴とする原子炉格納容器及び生体遮蔽壁の解体工法を提供することにある。
上記第９の手段によれば、ＰＣＶ球形部の切断後の落下を防止して作業の安全性を確保できる。
上記課題を解決するための第１０の手段として、本発明は、第1又は第２の手段において、
前記ＢＳＷ解体工程は、解体前にフロアに仮設補強部材を設定する工程と、
ＰＣＶ上部開口にガラ落下防止蓋を設置する工程と、
前記フロアに切断装置を搬入する際に干渉する壁を撤去する工程と、
ＢＳＷ非放射化部解体用切断装置を搬入する工程と、
解体場所を養生する工程と、
ＢＳＷ非放射化部を解体する工程と、
前記ＢＳＷ非放射化部の解体ガラを回収し、放射能確認測定を行い、保管場所へ搬出する工程と、
ＢＳＷ放射化部解体用切断装置を入れ替える工程と、
ＢＳＷ放射化部を解体する工程と、
前記ＢＳＷ放射化部の解体ガラを回収し、放射能確認測定を行い、保管場所へ搬出する工程と、
前記フロアを片付け清掃した後に、階下フロアへ解体装置を移動する工程と、
を有することを特徴とする原子炉格納容器及び生体遮蔽壁の解体工法を提供することにある。
上記課題を解決するための第１１の手段として、本発明は、第1又は第２の手段において、
前記ＰＣＶ解体工程は、切断作業を行うフロア及びそれより上方を汚染拡散防止兼火気養生する工程と、
前記フロアに作業足場を設置する工程と、
前記フロアに切断装置を搬入する工程と、
ＰＣＶ球形部を天井クレーンに玉掛けする工程と、
前記ＰＣＶ球形部をリング状に切断する工程と、
切断片をオペレーションフロアに移動する工程と、
前記フロアの片付け及び清掃した後、階下へ切断装置を移動する工程と、
球形部解体用の高所作業台車と小型クレーンと切断装置を搬入する工程と、
解体部位を前記小型クレーンで玉掛けする工程と、
前記高所作業台車上からＰＣＶをパネル状に切断する工程と、
切断片をＰＣＶ底部に吊り下す工程と、
切断片を天井クレーンに玉掛けしてオペレーションフロアへ移動する工程と、
切断片を裁断して容器へ収納後、保管場所へ移動する工程と、
フロアの片づけ、清掃、階下へ切断装置を移動する工程と、
を有することを特徴とする原子炉格納容器及び生態遮蔽壁の解体工法を提供することにある。
上記課題を解決するための第１２の手段として、本発明は、第５の手段において、
前記ＢＳＷ解体工程は、上階フロアから最下階フロアのＢＳＷ非放射化部の撤去を行い、その後、前記上階フロアから最下階フロアのＢＳＷ放射化部の撤去を行うことを特徴とする原子炉格納容器及び生体遮蔽壁の解体工法を提供することにある。
上記課題を解決するための第１３の手段として、本発明は、第５の手段において、前記ＢＳＷ解体工程は、上階フロアのＢＳＷ非放射化部の撤去を行い下階に移行するときに、前記上階フロアのＢＳＷ放射化部の撤去を後追いで行うことを特徴とする請求項５に記載の原子炉格納容器及び生体遮蔽壁の解体工法を提供することにある。
上記課題を解決するための第１４の手段として、本発明は、第５の手段において、
前記ＢＳＷ解体工程は、上階フロアからＢＳＷ非放射化部の撤去を行い、ついで同フロアのＢＳＷ放射化部の撤去を行うことを特徴とする請求項５に記載原子炉格納容器及び生体遮蔽壁の解体工法を提供することにある。
上記課題を解決するための第１５の手段として、本発明は、第１又は第２の手段において、
前記ＰＣＶ解体工程は、切断作業前にＰＣＶ球形部を小型クレーンで玉掛けし、切断後、底面に降ろし、天井クレーンに玉掛けし直してオペレイティングフロアに移動して細分化することを特徴とする原子炉格納容器及び生体遮蔽壁の解体工法を提供することにある。
上記課題を解決するための第１６の手段として、本発明は、第１又は第２の手段において、
前記ＰＣＶ解体工程は、ＰＣＶ円筒部の切断作業を行うフロア及びそれより上階の汚染拡散防止兼火気養生を施し、前記フロアに作業用足場を設置し、前記作業用足場上を作業者がＰＣＶ周方向に移動しながら切断し、切断作業終了後、下階フロアに移動して解体作業を繰り返すことを特徴とする原子炉格納容器及び生体遮蔽壁の解体工法を提供することにある。
上記課題を解決するための第１７の手段として、本発明は、第３の手段において、
前記仮設補強部材は、壁を撤去する天井及び床の間に取り付ける支柱を用いることを特徴とする原子炉格納容器及び生体遮蔽壁の解体工法を提供することにある。
上記課題を解決するための第１８の手段として、本発明は、第３の手段において、
前記仮設補強部材は、撤去する壁に合わせた矩形状に連結、又は立方体の枠体の構成であることを特徴とする原子炉格納容器及び生体遮蔽壁の解体工法を提供することにある。
上記課題を解決するための第１９の手段として、本発明は、第３の手段において、
前記仮設補強部材は、天井を有する立方体の枠体の構成であることを特徴とする原子炉格納容器及び生体遮蔽壁の解体工法を提供することにある。
上記課題を解決するための第２０の手段として、本発明は、第１又は第２の手段において、
前記ＢＳＷ解体工程は、解体場所への切断装置搬入に干渉する壁を撤去することを特徴とする原子炉格納容器及び生体遮蔽壁の解体工法を提供することにある。